(57)【特許請求の範囲】
【請求項１】
浴槽の側壁に配置される固定フレームと、
前記固定フレームへスライド可能に取り付けられ、そして前記固定フレームと反対側の浴槽の側壁に配置される可動フレームと、
凹部又は凸部を含み、前記可動フレームの表面に形成された第１の係合部と、そして、
凸部又は凹部を含み、前記第１の係合部と対向する位置に配置される第２の係合部と、
前記可動フレームの表面側に配置されて使用者が操作するための操作部と、
前記第２の係合部と前記操作部とを連結する連結部と、そして
前記第２の係合部を前記第１の係合部へ係合させるように付勢する付勢手段とを含み、
前記操作部を操作することにより、前記第２の係合部が前記付勢手段による付勢に抗して前記第１の係合部から離間されるように構成された、前記固定フレームへ取り付けられたスライド係止／解除手段とを備え、
前記第１の係合部と前記第２の係合部との接触面は、前記可動フレームの表面に直交する面であり、かつ、前記可動フレームのスライド方向に非平行である面（ただし、スライド方向に直交する面を除く）を含んでいる、浴槽用手摺り。
【請求項２】
前記第１の係合部の凹部又は凸部において、前記第２の係合部に接触する面と前記第２の係合部の凸部又は凹部において前記第１の係合部に接触する面とは、円筒の側周面形状を有している、請求項１に記載の浴槽用手摺り。
【請求項３】
前記第２の係合部は円柱形状の凸部を含み、前記第１の係合部は前記第２の係合部の凸部を受容する円筒の側周面形状の凹部を含んでいる、請求項２に記載の浴槽用手摺り。
【請求項４】
前記第１の係合部の凹部は、前記可動フレームを貫通していることを特徴とする、請求項３に記載の浴槽用手摺り。
【請求項５】
前記固定フレームは、前記第２の係合部の凸部を受容する円筒の側周面形状の第２の凹部を含んでいる、請求項４に記載の浴槽用手摺り。
【請求項６】
前記第２の係合部の凸部はフランジを有している、請求項３から請求項５までのいずれか１項に記載の浴槽用手摺り。
【請求項７】
前記固定フレームは、前記可動フレームのスライド方向と平行に、且つ前記可動フレームと摺接するように配置され、そして前記可動フレームのスライド方向を規制するための案内手段を備えている、請求項１から請求項６までのいずれか１項に記載の浴槽用手摺り。
【請求項８】
前記案内手段には、固定プレート側脚部を有する固定プレートが取り付けられており、前記案内手段は前記固定プレート側脚部を介して前記可動フレームと摺接するように配置されている、請求項１から請求項７までのいずれか１項に記載の浴槽用手摺り。
【請求項９】
前記可動フレームは、前記案内手段を挟むようにスライド方向に沿って配置される２つの可動側脚部を含んでいることを特徴とする請求項７に記載の浴槽用手摺り。
【請求項１０】
前記案内手段は、前記固定フレームの上面に沿って延びた補強リブを形成していることを特徴とする請求項７から請求項９までのいずれか１項に記載の浴槽用手摺り。
【請求項１１】
前記操作部は、前記可動フレームから離間するように引き上げるように操作されるものである、請求項１から請求項１０までのいずれか１項に記載の浴槽用手摺り。
【発明の詳細な説明】
【技術分野】
【０００１】
本発明は、一般的には浴槽用手摺りに関し、特定的には、浴槽に着脱可能に取り付けられる浴槽用手摺りに関する。
【背景技術】
【０００２】
従来、浴槽の側壁に着脱可能に取り付けられる浴槽用手摺りがある。例えば、特開２０１０−２４６６９１号公報（特許文献１）には、浴槽の側壁の上端部に取り付けて使用される浴槽用手摺りが記載されている。この浴槽用手摺りを使用するときには、まず、側片が浴槽の外側に位置するように本体具を側壁の上端部に被せて配置し、押圧具の押圧板を側壁の浴槽外の面に、押圧受け具の押圧受け板を側壁の浴槽内の面に、それぞれ対向させる。そして一対の押圧受け具のスライド片を本体具の差込穴の奥へとスライドさせることによって、各押圧受け具の押圧受け板を移動させ、側壁の浴槽内の面に押圧受け板の滑り止めシートを貼った外面を当接させるものである。
【０００３】
特許文献１の浴槽用手摺りでは、押圧受け具のスライド片には係合溝が設けられ、本体具にはラッチ爪が設けられている。ラッチ爪は、スライド片に向かって付勢されて、係合溝と係合している。ラッチ爪にはスライド傾斜面が形成され、係合溝には傾斜面が形成されている。ラッチ爪のスライド傾斜面と係合溝の傾斜面とは、スライド片を差込穴の奥へスライドさせる方向で対面している。スライド片を差込穴の奥へ押し込む力をかけることによって、係合溝の傾斜面でラッチ爪のスライド傾斜面が押され、ラッチ爪が係合溝から抜ける。このためスライド片を差込穴の奥へ押し込む方向に力をかけることによって、大きな抵抗なく押圧受け具をスライドさせることができる。
【０００４】
また、特開２０１３−５２２０７号公報（特許文献２）には、幅調整手段を備える浴槽用手摺りが記載されている。この浴槽用手摺りでは、Ｌ字状の本体に、Ｌ字形状のスライド体が挿入され、嵌合してスライドする。本体の上部には、裏面にロックピンを有する蓋体が設けられている。スライド体を押し込むだけでロックピンがスライド体の係合孔と係合してロックされ、蓋体を開けることによりロックピンが係合孔から離脱してロックが解除されるものである。
【０００５】
ロックピンはバネで付勢され、ロックピンの先端には傾斜が形成されている。スライド体を本体の嵌合部に挿入して押し込むと、スライド片の先端がロックピンの傾斜面に当接し、ロックピンがバネの付勢に逆らって上方に押し上げられ、スライド体が前進する。
【０００６】
国際公開第ＷＯ  ２０１３／１１４６１０号（特許文献３）には、固定フレームと可動フレームが帯歯で係合されている浴槽用手摺りが記載されている。帯歯は可動フレームの前進を許可する傾斜面を有し、可動フレームを浴槽壁面に近づけるようにスライドさせる時には、可動フレームの帯歯の傾斜面が固定フレームの帯歯の傾斜面上を滑る。そのため、使用者は、可動フレームを浴槽壁面に近づけるようにスライドさせる時には、グリップを握って可動フレームを動かせばよく、例えばスライドの停止を解除するような別の動作が必要ない。
【先行技術文献】
【特許文献】
【０００７】
【特許文献１】特開２０１０−２４６６９１号公報
【特許文献２】特開２０１３−５２２０７号公報
【特許文献３】国際公開第ＷＯ  ２０１３／１１４６１０号
【発明の概要】
【発明が解決しようとする課題】
【０００８】
しかしながら、特許文献１に記載の浴槽用手摺りでは、繰り返し使用していると、スライド片の係合溝またはラッチ具が摩耗して削れてしまうおそれがある。また、特許文献２の浴槽用手すりでも、繰り返し使用している間にスライド片の係合孔またはロックピンが摩耗して削れてしまうおそれがある。特許文献３の浴槽用手摺りでも、同様に、繰り返し使用することによって、可動フレームと固定フレームの凹部、凸部が摩耗して削れてしまうおそれがある。
【０００９】
さらに、特許文献１〜３のいずれの浴槽用手摺りでも、ロックピンの先端部等に傾斜面が形成されているため、誤って可動フレームを奥まで挿入してしまうことがある。
【００１０】
そこで、この発明の目的は、浴槽の側壁の厚みに合わせて固定することが容易であって、浴槽の側壁への取り付け作業と浴槽の側壁からの取り外し作業とを安全に、容易に行うことが可能な浴槽用手摺りを提供することである。
【課題を解決するための手段】
【００１１】
本発明の浴槽用手摺りは、浴槽の側壁に配置される固定フレームと、固定フレームへスライド可能に取り付けられ、そして固定フレームと反対側の浴槽の側壁に配置される可動フレームと、第１の係合部と、スライド係止／解除手段とを備える。
【００１２】
第１の係合部は、凹部又は凸部を含み、可動フレームの表面に形成される。
【００１３】
スライド係止／解除手段は、第２の係合部と、操作部と、連結部と、付勢手段とを含む。第２の係合部は、凸部又は凹部を含み、第１の係合部と対向する位置に配置される。操作部は、可動フレームの表面側に配置されて使用者が操作する。連結部は、第２の係合部と操作部とを連結する。付勢手段は、第２の係合部を第１の係合部へ係合させるように付勢する。スライド係止／解除手段は、操作部を操作することにより、第２の係合部が付勢手段による付勢に抗して第１の係合部から離間されるように構成されている。
【００１４】
第１の係合部と第２の係合部との接触面は、可動フレームの表面に直交する面であり、かつ、可動フレームのスライド方向に非平行である面を含む。
【００１５】
以下、可動フレームの表面とは、可動フレームと固定フレームとを組み付けたときに外部に露出し、一般的に使用者が接触し得る面をいう。可動フレームの裏面とは、可動フレームの厚み方向において可動フレームの表面と反対側の位置に形成されている面をいい、可動フレームと固定フレームとを組み付けたときに外部に露出せず、一般的に使用者が接触しない面である。また、可動フレームが浴槽壁面に近付く方向に移動することを、可動フレームの前進といい、可動フレームが浴槽壁面から遠ざかる方向に移動することを、可動フレームの後退という。
【００１６】
上述のように、可動フレームの表面には、凹部又は凸部を含む第１の係合部が形成されている。第１の係合部は、固定フレームに取り付けられるスライド係止／解除手段の第２の係合部に対向する。第２の係合部には凸部又は凹部が形成されている。
【００１７】
第２の係合部は、付勢手段によって、第１の係合部へ係合されるように付勢されている。使用者が、可動フレームの表面側に配置されている操作部を操作して、付勢手段による付勢に抗してスライド係止／解除手段を引き上げると、第２の係合部が第１の係合部から離間される。
【００１８】
スライド係止／解除手段の第２の係合部は、可動フレームの表面側に配置されている。第２の係合部は、連結部によって可動フレームの表面側に配置された操作部と連結されているので、使用者は可動フレームの表面側から操作部を操作して、可動フレームの表面側の第２の係合部を第１の係合部から離間することができる。このようにして、可動フレームの表面に形成された第１の係合部または第２の係合部は、使用者が直接手を触れることなく操作することができる。
【００１９】
また、第１の係合部と第２の係合部との接触面は、可動フレームの表面に直交する面であり、かつ、可動フレームのスライド方向に非平行である面を含むので、使用者が操作部を操作して、付勢手段による付勢に抗してスライド係止／解除手段を引き上げ、可動フレームの表面側の第２の係合部を第１の係合部から離間しない限り、第１の係合部と第２の係合部が可動フレームのスライド方向に非平行な面内で接触し、可動フレームのスライドを妨げる。このようにして、可動フレームが不用意にスライドされることを防ぐことができる。
【００２０】
使用者は、可動フレームを浴槽の壁面に近づける時にも、浴槽の壁面から遠ざける時にも、操作部を操作して、付勢手段による付勢に抗してスライド係止／解除手段を引き上げることで可動フレームをスライドさせることができる。このように、同じ操作で可動フレームをいずれの方向にもスライドさせることができるので、操作が容易である。なお、可動フレームのスライド係止を解除するためには、第２の係合部が付勢手段による付勢に抗して第１の係合部から離間されればよいので、その際、連結部によって連結された操作部の動作が引き上げられる又は押し込まれる等に限定されるものではない。
【００２１】
この発明に従った浴槽用手摺りは、第１の係合部の凹部又は凸部において第２の係合部に接触する面と、第２の係合部の凸部又は凹部において第１の係合部に接触する面とは、円筒の側周面形状を有することが好ましい。
【００２２】
この発明に従った浴槽用手摺りにおいては、第２の係合部は円柱形状の凸部を含み、第１の係合部は第２の係合部の凸部を受容する円筒の側周面形状の凹部を含むことが好ましい。
【００２３】
この発明に従った浴槽用手摺りにおいては、第１の係合部の凹部は、可動フレームを貫通していることが好ましい。
【００２４】
この発明に従った浴槽用手摺りにおいては、固定フレームは、第２の係合部の凸部を受容する円筒の側周面形状の第２の凹部を含んでいることが好ましい。
【００２５】
この発明に従った浴槽用手摺りにおいては、第２の係合部の凸部は、フランジを有することが好ましい。
【００２６】
この発明に従った浴槽用手摺りにおいては、固定フレームは、可動フレームのスライド方向と平行に、且つ、可動フレームと摺接するように配置され、そして可動フレームのスライド方向を規制するための案内手段を備えていることが好ましい。
【００２７】
この発明に従った浴槽用手摺りにおいては、案内手段には、固定プレート側脚部を有する固定プレートが取り付けられており、案内手段は固定プレート側脚部を介して可動フレームと摺接するように配置されていることが好ましい。
【００２８】
この発明に従った浴槽用手摺りにおいては、案内手段は、案内手段の内部に可動フレームの表面と摺接する案内通路を備える筒体であることが好ましい。
【００２９】
この発明に従った浴槽用手摺りにおいては、案内手段は、可動フレームをその両側面から挟み込むように少なくとも２以上配置されていることが好ましい。
【００３０】
この発明に従った浴槽用手摺りにおいては、案内手段は、固定フレームとの間で可動フレームを挟み込む固定部を含んでいることが好ましい。
【００３１】
この発明に従った浴槽用手摺りにおいては、案内手段は、可動フレームとの摺接面において、案内手段と可動フレームとの一方に形成される受容部と、他方に形成される被受容部とを含んでいることが好ましい。
【００３２】
この発明に従った浴槽用手摺りにおいては、可動フレームは、案内手段を挟むようにスライド方向に沿って配置される２つの可動側脚部を含んでいることが好ましい。
【００３３】
この発明に従った浴槽用手摺りにおいては、案内手段は、固定フレームの上面に沿って延びた補強リブを形成していることが好ましい。
【００３４】
この発明に従った浴槽用手摺りにおいては、操作部は、前記可動フレームから離間するように引き上げるように操作されるものであることが好ましい。
【発明の効果】
【００３５】
この発明によれば、浴槽の側壁の厚みに合わせて固定することが容易であって、浴槽の側壁への取り付け作業と浴槽の側壁からの取り外し作業とを安全に、容易に行うことが可能な浴槽用手摺りを提供することができる。
【図面の簡単な説明】
【００３６】
【図１】第１実施形態の浴槽用手摺りの全体を示す斜視図である。
【図２】第１実施形態の浴槽用手摺りの本体カバーを外したときの固定フレームと可動フレームとスライド係止／解除手段の全体を示す斜視図である。
【図３】図２に示す固定フレームと可動フレームとスライド係止／解除手段の構成部材を示す分解斜視図である。
【図４】第１実施形態の浴槽用手摺りの全体の断面を示す図である。
【図５】第１実施形態の浴槽用手摺りにおいて、係止した状態のスライド係止／解除手段周辺の断面を拡大して示す図である。
【図６】図５に示すスライド係止／解除手段を図２に示すＶＩ−ＶＩ線の方向から見た断面図である。
【図７】第１実施形態の浴槽用手摺りにおいて、係止を解除した状態のスライド係止／解除手段周辺の断面を拡大して示す図である。
【図８】図７に示すスライド係止／解除手段を図２に示すＶＩ−ＶＩ線の方向から見た断面図である。
【図９】本発明の第２実施形態の浴槽用手摺りについて、図６と同様の断面を示す図である。
【図１０】本発明の第３実施形態の浴槽用手摺りについて、図６と同様の断面を示す図である。
【発明を実施するための形態】
【００３７】
以下、本発明の一実施形態に係る浴槽用手摺りについて、図面を参照しながら詳細に説明する。なお、本発明は、以下に示される実施形態に限定されるものではなく、本発明の技術的思想を逸脱しない範囲内で各種の変更が可能である。
【００３８】
（第１実施形態）
図１に示すように、本発明の第１実施形態の浴槽用手摺り１は、主に、本体１００と、本体１００に支持される上部グリップ１０２とを備える。本体１００はカバー１０１に覆われている。カバー１０１の上面には、後に詳述する操作部１４３が露出している。本体１００は、固定フレーム１１０と可動フレーム１２０と、後述するスライド係止／解除手段とを含む。固定フレーム１１０には押圧板１０４とハンドルノブ１０７が取り付けられている。可動フレーム１２０には押圧受け板１０５と側部グリップ１６０が取り付けられている。押圧板１０４と押圧受け板１０５は、それぞれ、浴槽用手摺り１が浴槽の側壁に設置されたとき、浴槽の側壁に対向するように配置される。上部グリップ１０２は支柱１０３に固着されている。上部グリップ１０２は、支柱１０３の一部が本体１００内に収容されることによって、本体１００によって支持される。
【００３９】
図１から図３に示すように、固定フレーム１１０はＬ字形状に形成されており、水平部１１１と鉛直部１１２とを含む。本体１００が浴槽の側壁に取り付けられた状態で、水平部１１１は水平面内に延在し、鉛直部１１２は水平部１１１の端部から下向きに延びて、鉛直面内に延在する。フレーム支持部材１０６は、固定フレーム１１０の鉛直部１１２の外側面を覆うように取り付けられている。フレーム支持部材１０６には、上部グリップ１０２を収容する貫通孔が形成されている。押圧板１０４は、固定フレーム１１０の鉛直部１１２の内側面１１２ａから突出するように取り付けられている。ハンドルノブ１０７は、フレーム支持部材１０６に取り付けられている。ハンドルノブ１０７と押圧板１０４とはボルト軸によって連結されている。ハンドルノブ１０７を回動させることによって、ハンドルノブ１０７からボルト軸に回動力が伝達され、押圧板１０４平面に直交する方向に沿って、押圧板１０４が前進後退される。
【００４０】
固定フレーム１１０の水平部１１１の上面には４本の補強リブ１５１が形成されている。補強リブ１５１の上面には、固定プレート１５２が取り付けられている。補強リブ１５１は、押圧板１０４平面に直交する方向に沿って延びている。この実施形態においては、４本の補強リブ１５１は互いに平行に形成されている。固定プレート１５２は、板状に形成されており、４本の補強リブ１５１のうち、内側の２本の補強リブ１５１の間にわたされて、補強リブ１５１上に固定されている。補強リブ１５１によって、固定プレート１５２の下面と水平部１１１の上面とは離間されている。固定プレート１５２には、固定プレート１５２の上面と下面とを貫通する貫通孔１５３が形成されている。また、固定プレート１５２の下面には、肩部として下向きに突出する固定プレート側脚部１５４が形成されており、内側の２本の補強リブ１５１、固定プレート１５２および固定プレート１５２の固定プレート側脚部１５４は案内手段の一例である。
【００４１】
また、図示しないが、可動フレームの水平部１２１に形成された円形孔１３０が貫通されている場合などは、固定フレーム１１０の水平部１１１の上面には、後述するスライド係止／解除手段１４０の円柱１４１を収容するための第２の円形孔を設けることもできる。
【００４２】
図１から図４に示すように、可動フレーム１２０はＬ字形状に形成されており、水平部１２１と鉛直部１２２とを含む。本体１００が浴槽の側壁に取り付けられた状態で、水平部１２１は水平面内に延在し、鉛直部１２２は水平部１２１の端部から下向きに延びて、鉛直面内に延在する。押圧受け板１０５は、可動フレーム１２０の鉛直部１２２の内側面１２２ａから突出するように可動フレーム１２０に取り付けられている。側部グリップ１６０は、可動フレーム１２０の鉛直部１２２の外側面１２２ｂから突出するように可動フレーム１２０に取り付けられている。
【００４３】
可動フレーム１２０の水平部１２１の表面１２３には、第１の係合部の一例として、複数の凹部として円形孔１３０が形成されている。複数の円形孔１３０は、可動フレームが延びる方向に沿って並べられている。円形孔１３０の内周面は鉛直方向、すなわち、可動フレーム１２０のスライド方向に直交する方向に延びている。円形孔１３０は可動フレーム１２０の水平部１２１によって底が形成されている。また、図示しないが、円形孔１３０は可動フレーム１２０の水平部１２１を貫通していてもよい。円形孔１３０は、円形孔１３０の他、可動フレーム１２０の水平部１２１に直接、形成された凹凸や多角形状の孔であってもよいし、可動フレーム１２０とは別個に形成され、水平部１２１の表面１２３に取り付けられたものであってもよい。なお、複数の孔が並べられる間隔は特に限定されない。この実施形態においては、円形孔１３０は、周の一部が互いに重なり合って連続して形成されている。そのため、それぞれの円形孔１３０は真円形状ではない。円形孔１３０は、分離して形成され、それぞれが真円形状に形成されていてもよい。
【００４４】
可動フレーム１２０の水平部１２１の表面１２３からは、肩部として２つの可動側脚部１２６が上向きに突出している。可動側脚部１２６は、水平部１２１において、鉛直部１２２の平面に直交する方向に沿って延びる端部を上向きに折り返したような形状に形成されている。２つの可動側脚部１２６は間隔を空けて形成され、それぞれ、鉛直部１２２に直交する方向に沿って、すなわち、水平部１２１が延びる方向に沿って延びている。
【００４５】
固定フレーム１１０と可動フレーム１２０は、押圧板１０４と押圧受け板１０５が浴槽の側壁（図示しない）を挟んで対向し、固定フレーム１１０の水平部１１１と可動フレーム１２０の水平部１２１が対向するように配置される。可動フレーム１２０の水平部１２１は、固定フレーム１１０の水平部１１１と固定プレート１５２との間に挿入されて、固定プレート１５２の２本の固定プレート側脚部１５４を介して、固定フレーム１１０の２本の補強リブ１５１の間でスライド可能に配置される。なお、図示しないが、可動フレーム１２０の水平部１２１は、２本の固定プレート側脚部１５４のみによって直接スライド可能に配置されていてもよいし、また固定プレート側脚部１５４を介さずに、固定フレーム１１０の２本の補強リブ１５１の間で直接スライド可能に配置されていてもよい。
【００４６】
スライド係止／解除手段１４０は、固定フレーム１１０の水平部１１１上に取り付けられている。スライド係止／解除手段１４０は、第２の係合部として円柱１４１と、円柱１４１に連結される棒形状の連結部１４４と、連結部１４４において円柱１４１の反対側に連結される操作部１４３と、円柱１４１を付勢する付勢部材としてバネ１４５とを含む。
【００４７】
スライド係止／解除手段１４０を構成する部材は、次のような位置関係に配置される。円柱１４１が可動フレーム１２０の表面１２３側に配置され、連結部１４４の下端が円柱１４１に連結され、連結部１４４の上端が操作部１４３に連結される。連結部１４４は、固定プレート１５２の貫通孔１５３を通っている。
【００４８】
円柱１４１は、水平部１１１上の２本の補強リブ１５１の間において、可動フレーム１２０の円形孔１３０と対向する位置に配置される。円柱１４１の側周面から垂直に突出するように、フランジ１４２が形成されている。フランジ１４２は、円柱１４１の下端部からの距離が円形孔１３０の深さ、或いは可動フレームの円形孔１３０を貫通孔とし、固定フレーム１１０の水平部１１１の上面には第２の円形孔（図示せず）を設けている場合などは、円形孔１３０の深さと第２の円形孔の深さを足し合わせた深さとほぼ等しい位置に形成されている。円柱１４１の側周面は鉛直方向、すなわち、可動フレーム１２０のスライド方向に直交する方向に延びている。
【００４９】
操作部１４３は、可動フレーム１２０の水平部１２１の表面１２３側であって、後述する固定プレート１５２の上面の上方に装着されるバネ保持体１４６の上面上に配置される。操作部１４３は板状に形成されており、使用者は操作部１４３を指でつまんで引き上げることができる。
【００５０】
円柱１４１に連結されている連結部１４４は、固定プレート１５２の貫通孔１５３と、つる巻き状のバネ１４５の中を通る。連結部１４４の上端は、操作部１４３の下面に連結される。
【００５１】
バネ１４５は、固定プレート１５２の下面と円柱１４１との間に配置され、円柱１４１を下向きに付勢している。なお、固定プレート１５２の貫通孔１５３は必ずしも固定プレート１５２と同一平面上に形成されている必要がなく、図示しないが、例えば固定プレート１５２の貫通孔１５３の上方に第２の固定プレートを設け、第２の固定プレートに第２の貫通孔を形成することによって固定プレート１５２の上方の位置に設けてもよい。この場合、貫通孔１５３を固定プレート１５２と同一平面上に設けた場合と比べて、操作部１４３の引き上げストロークを大きくすることができる。
【００５２】
図４と図５に示すように、固定フレーム１１０の水平部１１１上には可動フレーム１２０の水平部１２１がスライド可能に載せられている。可動フレーム１２０の上面の一部は固定プレート１５２によって覆われている。可動フレーム１２０は、固定プレート１５２と水平部１１１との間において、水平部１２１が延びる方向に沿ってスライド可能である。この実施形態では、可動フレーム１２０の水平部１２１の裏面１２４は、固定フレーム１１０の水平部１１１の上面に接触している。
【００５３】
可動フレーム１２０の円形孔１３０の内周側面は円柱１４１に接触する接触面として鉛直面１３０ａの一例であり、円柱１４１の側周面は円形孔１３０の内周面に接触する接触面として鉛直面１４１ａの一例である。円形孔１３０の鉛直面１３０ａと円柱１４１の鉛直面１４１ａとは対向している。
【００５４】
図６と図８に示すように、固定プレート１５２の下面には、肩部として下向きに突出する固定プレート側脚部１５４が形成されている。そして、可動フレーム１２０は、固定プレート側脚部１５４を介して補強リブ１５１と、固定プレート１５２の下面と、固定フレーム１１０の水平部１１１とによって囲まれる空間内に配置されている。図示しないが、この実施形態においては、可動フレーム１２０の水平部１２１は、２本の固定プレート側脚部１５４のみによって直接スライド可能に配置されていてもよいし、また固定プレート側脚部１５４を介さずに、固定フレーム１１０の２本の補強リブ１５１の間で直接スライド可能に配置されていてもよい。また、可動フレーム１２０の表面１２３（水平部１２１の表面と可動側脚部１２６の表面とを含む）と固定プレート１５２の下面とによって室１７０が形成されている。なお、室１７０の内部と外部とは連通されていてもよく、例えば、固定プレート１５２のうち円柱１４１と対向する部分が開放されていてもよい。すなわち、室１７０としては、円柱１４１が移動する側に空間があればよい。この実施形態においては、円柱１４１の上面と固定プレート１５２の下面との間には間隔が空けられている。
【００５５】
図５と図６に示すように、使用者によって操作部１４３が操作されていないときには、バネ１４５が操作部１４３を上から下に向かって付勢する。このとき、連結部１４４を介して操作部１４３に連結されている円柱１４１も上から下に向かって、すなわち、上から可動フレーム１２０の水平部１２１の表面１２３の円形孔１３０に向かって付勢され、円柱１４１のフランジ１４２よりも下部が円形孔１３０内に収容され、円柱１４１と円形孔１３０とが係合する。円柱１４１と円形孔１３０とが係合している状態では、可動フレーム１２０は、固定フレーム１１０から遠ざかる方向にも固定フレーム１１０に近づく方向にもスライドされないように固定フレーム１１０上に係止される。
【００５６】
図７と図８に示すように、使用者が、バネ１４５の付勢に抗して操作部１４３を下から上に向かって引き上げると、操作部１４３に連結されている円柱１４１も下方向に移動し、円柱１４１と円形孔１３０との係合が解除される。室１７０は、上方向に移動した円柱１４１を収容することができるだけの広さを有する空間として形成されている。なお、図示しないが、操作部１４３は可動側脚部１２６の側面側に配置されてもよく、スライド係止／解除手段１４０は、操作部１４３を水平方向に沿って引き上げることにより円柱１４１が水平方向に沿って移動するように構成されていてもよい。
【００５７】
以上のように構成される浴槽用手摺り１の使用方法について説明する。
【００５８】
浴槽の側壁に浴槽用手摺り１を取り付けるときには、まず、固定フレーム１１０と可動フレーム１２０が組み合され、押圧板１０４と押圧受け板１０５との間隔が浴槽の側壁の厚みよりも広くされた状態で、本体１００が浴槽の側壁上に配置される。本体１００は、固定フレーム１１０の水平部１１１の下面が浴槽の側壁の上面に接触し、押圧板１０４が浴槽の外側の側壁面（浴槽の側壁の外側面）に対向するように配置される。本体１００は、押圧受け板１０５が浴槽の内側の側壁面（浴槽の側壁の内側面）に対向するように配置される。
【００５９】
次に、使用者が本体１００の側部グリップ１６０を保持して、本体１００のカバー１０１上面に露出している操作部１４３を上向きに引き上げながら、側部グリップ１６０を保持して、可動フレーム１２０の水平部１２１を、固定フレーム１１０の水平部１１１上で、浴槽の側壁面に直交する方向に沿ってスライドさせる。操作部１４３が上向きに引き上げられることによって、円柱１４１が室１７０内で円形孔１３０から離れる方向に移動する。このようにして、円形孔１３０と円柱１４１の係合が解除され、可動フレーム１２０が容易にスライドされる。このようにして、押圧板１０４が浴槽の側壁の外側面に接触し、押圧受け板１０５が浴槽の側壁の内側面に接触するように、固定フレーム１１０と可動フレーム１２０の位置を調整する。
【００６０】
円形孔１３０には複数の円形孔が形成されている。円柱１４１と、どの円形孔１３０を嵌合させるのかを変更することによって、固定フレーム１１０と可動フレーム１２０との間の幅を調節することができる。
【００６１】
使用者は、必要があれば、ハンドルノブ１０７を回して、押圧板１０４と押圧受け板１０５とが浴槽の側壁に完全に接触するように、微調整することができる。このようにすることにより、浴槽用手摺り１を浴槽の側壁上に強固に固定することができる。
【００６２】
操作部１４３が使用者によって引き上げられていない状態では、上述のように、円柱１４１の突起と円形孔１３０とが係合している。このとき、円形孔１３０の鉛直面１３０ａと円柱１４１の鉛直面１４１ａとが対向している。そのため、使用者が、押圧受け板１０５を浴槽の側壁から遠ざけるように、あるいは、浴槽の側壁に近づけるように、可動フレーム１２０に力を加えても、鉛直面１３０ａと鉛直面１４１ａとが互いに押しつけられるので、可動フレーム１２０はスライドされない。
【００６３】
浴槽から浴槽用手摺り１を取り外すときには、使用者は、まず、本体１００のカバー１０１上面に露出している操作部１４３を上向きに引き上げながら、側部グリップ１６０を保持して可動フレーム１２０を本体１００から引き出すようにスライドさせる。操作部１４３が上向きに引き上げられることによって、円柱１４１が室１７０内で円形孔１３０から離れる方向に移動する。このようにして、円形孔１３０と円柱１４１の係合が解除され、可動フレーム１２０が容易にスライドされる。押圧板１０４と押圧受け板１０５との間隔が浴槽の側壁の厚みよりも広くなると、浴槽用手摺り１は浴槽の側壁から取り外される。
【００６４】
以上のように、浴槽用手摺り１は、固定フレーム１１０と、可動フレーム１２０と、円形孔１３０と、スライド係止／解除手段１４０と、室１７０とを備える。
【００６５】
固定フレーム１１０は、浴槽の側壁に配置される。可動フレーム１２０は、固定フレーム１１０へスライド可能に取り付けられ、そして固定フレーム１１０と反対側の浴槽の側壁に配置される。円形孔１３０は、凹部又は凸部を含み、可動フレーム１２０の水平部１２１の表面１２３に形成されている。
【００６６】
浴槽用手摺り１において、補強リブ１５１に取り付けられる固定プレート１５２の下面には、肩部として下向きに突出する固定プレート側脚部１５４が形成されている。このため、可動フレーム１２０の案内手段である補強リブ１５１は、可動フレーム１２０のスライド方向と平行に、且つ可動フレーム１２０と固定プレート側脚部１５４を介して摺接するように配置され、そして可動フレーム１２０のスライド方向を案内手段に沿うように規制する役目を果たしている。また、可動フレーム１２０の案内手段である固定プレート１５２は、可動フレーム１２０のスライド方向と平行に、且つ可動フレーム１２０と摺接するように配置され、そして可動フレーム１２０のスライド方向を案内手段に沿うように規制する役目を果たしている。なお、図示しないが、この実施形態においては、可動フレーム１２０の水平部１２１は、２本の固定プレート側脚部１５４のみによって直接スライド可能に配置されていてもよいし、また固定プレート側脚部１５４を介さずに、固定フレーム１１０の２本の補強リブ１５１の間で直接スライド可能に配置されていてもよい。
【００６７】
案内手段の１つである補強リブ１５１は、固定フレーム１１０の上面に沿って延びており、可動フレーム１２０を、固定プレート側脚部１５４を介して、可動フレーム１２０の両側面から挟み込むように少なくとも２以上配置されている。補強リブ１５１を上述のように配置することにより、簡単な構成で、固定フレーム１１０上における可動フレーム１２０の位置を容易に決めることができるとともに、可動フレーム１２０の左右方向の荷重に対する強度が向上する。
【００６８】
また、浴槽用手摺り１において、案内手段は、固定フレーム１１０との間で可動フレーム１２０を挟み込む固定部である固定プレート１５２を含む。また、浴槽用手摺り１において、可動フレーム１２０は、固定プレート１５２と摺接する肩部を含む。浴槽用手摺り１においては、肩部は、スライド方向に直交する方向に沿ってスライド係止／解除手段１４０の円柱１４１および／または可動フレームの水平部１２１の表面１２３に形成される円形孔１３０を挟んで配置される可動側脚部１２６である。
【００６９】
可動側脚部１２６を上述のように配置することにより、簡単な構成で、可動フレーム１２０が固定フレーム１１０上で浮き難くすることができる。また、可動フレーム１２０を、固定フレーム１１０上に強固に固定して、使用者が浴槽用手摺り１を保持するときに安定感を高めることができる。
【００７０】
スライド係止／解除手段１４０は、円柱１４１と、操作部１４３と、連結部１４４と、バネ１４５とを含む。円柱１４１は、凸部又は凹部を含み、円形孔１３０と対向する位置に配置される。操作部１４３は、可動フレーム１２０の表面１２３側に配置されて使用者が操作するためのものである。連結部１４４は、円柱１４１と操作部１４３とを連結するものである。バネ１４５は、円柱１４１を円形孔１３０へ係合させるように付勢するものである。スライド係止／解除手段１４０は、操作部１４３がバネ１４５による付勢に抗して上向きに引き上げられるときに円柱１４１が円形孔１３０から離間されるように構成されている。スライド係止／解除手段１４０は、固定フレーム１１０に取り付けられている。
【００７１】
室１７０は、少なくとも、操作部１４３がバネ１４５に抗して押し込まれることにより円形孔１３０から離間された円柱１４１が収容される空間である。なお、この実施形態においては、室１７０は、円柱１４１が円形孔１３０から離間されるときだけでなく、円柱１４１が円形孔１３０に係合されているときにおいても、円柱１４１を収容する。
【００７２】
第１実施形態の浴槽用手摺りにおいては、可動フレーム１２０は、スライド方向に沿って円柱１４１を挟むように配置される２つの可動側脚部１２６を含み、室１７０は、可動フレーム１２０において円形孔１３０が形成されている面と、可動側脚部１２６と、固定プレート１５２において円形孔１３０に対向する面とによって囲まれている。
【００７３】
円形孔１３０と円柱１４１との接触面は、可動フレーム１２０の表面に直交する面であり、且つ可動フレーム１２０のスライド方向に非平行である鉛直面１３０ａ，１４１ａを含む。
【００７４】
円柱１４１は、バネ１４５によって、円形孔１３０へ係合されるように付勢されている。使用者が、操作部１４３を操作して、バネ１４５による付勢に抗してスライド係止／解除手段１４０を引き上げると、円柱１４１が円形孔１３０から離間される。上述のように、円柱１４１は、円形孔１３０から離間されたときにも室１７０内に収容されている。
【００７５】
スライド係止／解除手段１４０の円柱１４１は、円形孔１３０と係合するように、すなわち、可動フレーム１２０の表面１２３と固定プレート１５２の裏面との間に配置されている。円柱１４１は、連結部１４４によって可動フレーム１２０の表面１２３側に配置された操作部１４３と連結されているので、使用者は可動フレーム１２０の表面１２３側から操作部１４３を操作して、スライド係止／解除手段１４０の円柱１４１を可動フレーム１２０の表面１２３に形成された円形孔１３０から離間することができる。このようにして、円形孔１３０または円柱１４１は、使用者が直接手を触れることなく操作することができる。
【００７６】
また、円形孔１３０と円柱１４１との接触面である鉛直面１３０ａ，１４１ａは、可動フレーム１２０の表面に直交する面であり、且つ可動フレーム１２０のスライド方向に非平行である面を含むので、使用者が操作部１４３を操作して、バネ１４５による付勢に抗してスライド係止／解除手段１４０を引き上げ、可動フレーム１２０の表面側の円柱１４１を円形孔１３０から離間させない限り、円形孔１３０と円柱１４１が可動フレーム１２０のスライド方向に非平行な面内で接触し、可動フレーム１２０のスライドを妨げる。このようにして、可動フレーム１２０が不用意にスライドされることを防ぐことができる。
【００７７】
使用者は、可動フレーム１２０を浴槽の壁面に近づける時にも、浴槽の壁面から遠ざける時にも、操作部１４３を操作してバネ１４５による付勢に抗してスライド係止／解除手段１４０を引き上げることで可動フレーム１２０をスライドさせることができる。このように、同じ操作で可動フレーム１２０をいずれの方向にもスライドさせることができるので、操作が容易である。
【００７８】
このようにすることにより、浴槽の側壁の厚みに合わせて固定することが容易であって、浴槽の側壁への取り付け作業と浴槽の側壁からの取り外し作業とを安全に、容易に行うことが可能な浴槽用手摺り１を提供することができる。
【００７９】
また、浴槽用手摺り１においては、円形孔１３０は円筒の側周面形状の凹部であり、円形孔１３０の鉛直面１３０ａと円柱１４１の鉛直面１４１ａは、同じ円筒の側周面形状を有する。
【００８０】
このようにすることにより、可動フレーム１２０のスライド中に円柱１４１が周方向に回転しても、円柱１４１が円形孔１３０に容易に受容される。
【００８１】
なお、この実施の形態においては、円形孔１３０は円形孔１３０によって形成され、第２の係合部は円柱１４１によって形成されているが、例えば、円形孔１３０が可動フレームの表面から上向きに突出した円柱形状の凸部であり、第２の係合部が円柱を収容可能な、円柱の側周面形状の凹部であってもよい。
【００８２】
また、第１実施形態の浴槽用手摺り１においては、案内手段は補強リブ１５１と固定プレート１５２とを含むが、案内手段は、補強リブ１５１と固定プレート１５２とを含まず、例えば筒体によって形成されていてもよい。案内手段を筒体として形成する場合には、筒体の内部に可動フレーム１２０の表面１２３と摺接する案内通路を形成する。可動フレーム１２０は筒体の内部でスライドされる。このようにすることにより、簡単な構成で、固定フレーム１１０上における可動フレーム１２０の位置を容易に決めることができる。
【００８３】
さらに、図示しないが、第１実施形態の浴槽用手摺り１においては、固定フレーム１１０へ、４本の補強リブ１５１のうち、内側の２本の間にさらに可動フレーム１２０を案内するための１本の案内−補強リブを設け、可動フレーム１２０へは、案内−補強リブを挟むようにスライド方向に沿って配置される２つの可動側脚部を設けることもできる。
【００８４】
この場合、固定フレーム１１０へ設けられる案内手段の１つである案内−補強リブは、他の補強リブ１５１と平行に形成される。また、案内−補強リブは、補強リブ１５１よりも高さが低いことが好ましい。１本の案内−補強リブは固定側脚部の一例である。
【００８５】
一方、可動フレーム１２０へ設けられる２つの可動側脚部は、可動フレーム１２０の水平部１２１の裏面１２４から突出しており、水平部１２１において、鉛直部１２２の平面に直交する方向に沿って延びる端部を下向きに折り返したような形状に形成される。２つの可動側脚部は間隔を空けて形成され、それぞれ鉛直部１２２に直交する方向に沿って、すなわち、水平部１２１が延びる方向に沿って延ばされる。
【００８６】
また、２つの可動側脚部の内側の面（向かい合う面）は、案内−補強リブの外側の面に摺接するように配置されるので、可動フレーム１２０がスライドするときは、可動フレーム１２０は、２つの可動側脚部の間に挟まれた案内−補強リブに沿うようにスライド方向が規制される。
【００８７】
以上のように、第１実施形態の浴槽用手摺りにおいて、固定フレーム１１０には、スライド方向に沿って配置される１つの案内−補強リブを設け、可動フレーム１２０には、スライド方向に沿って案内−補強リブを挟むように配置される２つの可動側脚部を設けることができる。案内−補強リブはスライド方向と平行な方向に延びた長い補強リブであり、２つの可動側脚部の間において形成される。また、２つの可動側脚部の内側の面は、案内−補強リブの外側の面に摺接するように配置される。
【００８８】
上記のような構成を採用することにより、可動フレーム１２０は、２つの可動側脚部の間に挟まれた案内手段としての補強リブ２５１によってスライド方向が規制されるので、他の４本の補強リブ１５１の間隔や太さは、可動フレーム１２０の形状によらず、固定フレーム１１０上にほぼ自由に設計することができるようになる。
【００８９】
また、案内−補強リブを可動側脚部の間に配置すると、固定フレーム１１０には、水平部１１１と鉛直部１１２とに亘って案内−補強リブが形成されており、案内−補強リブに可動フレーム１２０が係止されるので、使用者が側部グリップ１６０を掴んで浴槽の出入りをするとき、鉛直面内においてかかる荷重に対して固定フレーム１１０の強度を向上させることができる。可動フレーム１２０には２つの脚部が形成されることによって、同様に、鉛直面内においてかかる荷重に対して可動フレーム１２０の強度も向上させることができる。また、可動フレーム１２０が固定フレーム１１０に取り付けられた状態において、２つの脚部は案内−補強リブに対向するように配置され、案内−補強リブと摺接するように案内−補強リブの外側から挟むので、水平面内において、可動フレーム１２０の鉛直部１２２に平行な方向に可動フレーム１２０ががたつくことを抑えることができるとともに、固定フレーム１１０と可動フレーム１２０が鉛直面内において荷重がかかる時に対して強度が低下することを防ぐことができる。
【００９０】
（第２実施形態）
第２実施形態の浴槽用手摺りの主な構成は、第１実施形態の浴槽用手摺りと同様である。第２実施形態の浴槽用手摺りは、第１実施形態の浴槽用手摺りとは、可動フレーム２２０の水平部の形状と補強リブの形状が異なる。
【００９１】
図９に示すように、第２実施形態の可動フレーム２２０の水平部２２１には、可動側脚部１２６（図６，８）が形成されていない。水平部２２１は、ほぼ平坦な板状に形成されている。また、補強リブ２５１において水平部２２１の側面と摺接する面には、受容部として溝２５２が形成されている。可動フレーム２２０の水平部２２１においてスライド方向に平行な方向に沿って延びる端部２２１ａは、補強リブ２５１の溝２５２内に収容される。端部２２１ａは被受容部の一例である。水平部２２１の端部２２１ａの周囲は、溝２５２の内壁面に摺接する。可動フレーム２２０がスライドさせられると、水平部２２１の端部２２１ａが溝２５２に沿って移動する。このようにすることにより、補強リブ２５１によって可動フレーム２２０のスライド方向を補強リブ２５１に沿うように規制することが容易になる。
【００９２】
第２実施形態では、室２７０は、可動フレーム２２０の水平部２２１の表面２２３と、補強リブ２５１と、固定プレート１５２の下面とによって形成されている。
【００９３】
また、第２実施形態では、可動フレーム２２０の水平部２２１に形成された円形孔２３０は、可動フレーム２２０を貫通している。固定フレーム１１０の上面において、スライド係止／解除手段１４０の円柱１４１と対向する位置には、スライド係止／解除手段１４０の円柱１４１を収容するための第２の円形孔１１１ａが形成されている。このため、スライド係止／解除手段１４０の円柱１４１が固定フレーム１１０の第２の円形孔１１１ａの中に収容されている係止状態では、円柱１４１および連結部が、固定プレート１５２の貫通孔１５３と固定フレーム１１０の第２の円形孔１１１ａとの２点によって支持されるので、可動フレーム２２０のスライドを強固に妨げることができる。
【００９４】
以上のように、第２実施形態の浴槽用手摺りにおいては、案内手段は、可動フレーム２２０と固定フレーム１１０との摺接面において、固定フレーム１１０の補強リブ２５１に形成される溝２５２と、可動フレーム２２０の水平部２２１の端部２２１ａとを含む。
【００９５】
このようにすることにより、可動フレーム２２０の水平部２２１が固定フレーム１１０の水平部１１１上で浮き難くすることができ、可動フレーム２２０への上下方向の荷重に対する強度が向上する。なお、この実施形態において、固定プレート１５２はなくてもよい。
【００９６】
第２実施形態の浴槽用手摺りのその他の構成と効果は第１実施形態の浴槽用手摺りと同様である。
【００９７】
（第３実施形態）
第３実施形態の浴槽用手摺りの主な構成は、第１実施形態の浴槽用手摺りと同様である。第３実施形態の浴槽用手摺りは、第１実施形態の浴槽用手摺りとは、可動フレーム３２０の水平部の形状と固定プレートの形状が異なる。
【００９８】
図１０に示すように、第３実施形態の可動フレーム３２０の水平部３２１には、可動側脚部１２６（図６，８）が形成されていない。水平部３２１は、ほぼ平坦な板状に形成されている。一方、固定プレート３５２の下面には、肩部として下向きに突出する固定プレート側脚部３５４が形成されている。
【００９９】
可動フレーム３２０の水平部３２１は、上下方向には固定プレート側脚部３５４と固定フレーム１１０の水平部１１１との間に挟まれ、水平方向には２本の補強リブ１５１の間に挟まれる。このようにすることにより、簡単な構成で可動フレーム３２０のスライド方向を補強リブ１５１に沿うように規制することが容易になる。
【０１００】
また、第３実施形態では、可動フレーム３２０の水平部３２１に形成された円形孔３３０は、可動フレーム３２０を貫通している。固定フレーム１１０の上面において、スライド係止／解除手段１４０の円柱１４１と対向する位置には、スライド係止／解除手段１４０の円柱１４１を収容するための第２の円形孔１１１ａが形成されている。このため、スライド係止／解除手段１４０の円柱１４１が固定フレーム１１０の第２の円形孔１１１ａの中に収容されている係止状態では、円柱１４１および連結部が、固定プレート３５２の貫通孔１５３と固定フレーム１１０の第２の円形孔１１１ａとの２点によって支持されるので、可動フレーム３２０のスライドを強固に妨げることができる。
【０１０１】
以上のように、第３実施形態の浴槽用手摺りにおいては、固定プレート３５２は固定プレート側脚部３５４を含む。固定プレート側脚部３５４は、スライド方向に直交する方向に沿って、スライド係止／解除手段１４０の円柱１４１および／または可動フレーム３２０の水平部３２１の表面３２３に形成される円形孔３３０を挟んで配置される。
【０１０２】
室３７０は、可動フレーム３２０において円形孔３３０が形成されている面と、固定プレート側脚部３５４と、固定プレート３５２の下面とによって囲まれている。このようにすることにより、簡単な構成で室３７０を形成することができる。
【０１０３】
第３実施形態の浴槽用手摺りのその他の構成と効果は第１実施形態の浴槽用手摺りと同様である。
【０１０４】
以上に開示された実施の形態はすべての点で例示であって制限的なものではないと考慮されるべきである。本発明の範囲は、以上の説明ではなく、請求の範囲によって示され、請求の範囲と均等の意味および範囲内でのすべての変形を含むものである。
【符号の説明】
【０１０５】
１：浴槽用手摺り、１１０：固定フレーム、１１１：水平部、１１１ａ：第２の円形孔、１１２：鉛直部、１２０，２２０，３２０：可動フレーム、１２１，２２１，３２１：水平部、２２１ａ：端部、１２２：鉛直部、１２３：表面、１２４：裏面、１２６：可動側脚部、１３０，２３０，３３０：円形孔、１３０ａ：鉛直面、１４０：スライド係止／解除手段、１４１：円柱、１４１ａ：鉛直面、１４２：フランジ、１４３：操作部、１４４：連結部、１４５：バネ、１５１，２５１：補強リブ、溝：２５２、１５２，３５２：固定プレート、１５３：貫通孔、１７０，２７０，３７０：室、１５４，３５４：固定プレート側脚部。
【図１】
0006404074.tif 000002
【図２】
0006404074.tif 000003
【図３】
0006404074.tif 000004
【図４】
0006404074.tif 000005
【図５】
0006404074.tif 000006
【図６】
0006404074.tif 000007
【図７】
0006404074.tif 000008
【図８】
0006404074.tif 000009
【図９】
0006404074.tif 000010
【図１０】
0006404074.tif 000011